(57)【要約】本発明はデジタルビデオ及び／又はオーディオ伝送システムに係る。このようなシステムを改善するために、本発明は、圧縮／伸長に、いわゆるＤＶＣＰＲＯ規格（誤り訂正まで）を用い、変調／復調に、いわゆるＣＯＦＤＭ規格を用いることを提案する。ＤＶＣＰＲＯ圧縮／伸長は、送信チェーンにおいてほとんど遅延を加えず、非常に適切なビデオ品質を供給する。ＣＯＦＤＭは、マルチパス伝送に対しロバストであり、最大ビット誤り率が管理される限り、画質の損失をもたらさない。更に、この組合せを用いることは明白なことではなかった。というのは、ＤＶＣＰＲＯ規格は、原則的にテープ使用に最適化されているからである。
2004525555.tif 000002
【特許請求の範囲】
【請求項１】
少なくとも１つのカメラのビデオ及び／又はオーディオ信号を伝送するワイヤレス伝送システムであって、
入力信号を圧縮する圧縮手段、圧縮信号を変調する変調手段、及び、第１のアンテナに接続されるＲＦユニットを有する送信器と、
第２のアンテナ、第２のＲＦユニット、受信信号を復調する復調手段、及び、復調信号を伸長する伸長手段を有する受信器とを含み、
上記圧縮／伸長手段は、ＤＶＣＰＲＯ規格を用い、上記変調／復調手段は、ＣＯＦＤＭ規格を使用するシステム。
【請求項２】
上記カメラは、上記受信器を含むことを特徴とする請求項１記載のワイヤレス伝送システム。
【請求項３】
請求項１に記載されるワイヤレス伝送システムに使用する送信器。
【請求項４】
請求項１に記載されるワイヤレス伝送システムに使用する受信器。
【請求項５】
カメラのビデオ及び／又はオーディオ信号を伝送する方法であって、
受信信号を圧縮する段階と、
圧縮信号を変調する段階と、
変調信号を送信する段階と、
送信された信号を受信する段階と、
受信信号を復調する段階と、
復調信号を伸長する段階とを含み、
上記圧縮／伸長は、ＤＶＣＰＲＯ規格に応じて行われ、上記変調／復調は、ＣＯＦＤＭ規格に応じて行われる方法。
【発明の詳細な説明】
【０００１】
本発明は、カメラからのビデオ及び／又はオーディオ信号を伝送するワイヤレス伝送システムに係る。
【０００２】
本発明は更に、上述したようなワイヤレス伝送システムにおいて使用する、送信器及び受信器に係る。
【０００３】
本発明は更に、カメラからのビデオ及び／又はオーディオ信号を伝送する方法に係る。
【０００４】
ＧＢ−Ａ−２３３２１２４から、複数の無線搬送波に載せられたエラー保護されたデジタルデータを、複数の受信アンテナに送信する移動式送信器を有するデジタル無線通信システムが公知である。受信アンテナは加算手段に接続され、加算手段は組合されて、出力信号を生成する。出力信号は、マルチ搬送波受信器に供給されて、オリジナルのデジタルデータが復号される。
【０００５】
この公知のデジタル無線通信システムは、無線伝送にしか使えない。従って、デジタルビデオの伝送に使用することができない。
【０００６】
本発明は、特に、ビデオ及び／又はオーディオ信号を、ワイヤレスデジタル伝送するワイヤレス伝送システムを得ることを目的とする。この目的は、従来技術において説明されるように無線信号を送信するよりも高い要件を、デジタルビデオ信号を伝送することが有することによって実現される。
【０００７】
本発明の第１の面では、請求項１の特徴を含むワイヤレス伝送システムを提供する。本発明の第２の面では、請求項５の特徴を含む、ビデオ及び／又はオーディオ信号を伝送する方法を提供する。
【０００８】
本発明は、圧縮／伸長のための、いわゆるＤＶＣＰＲＯ（デジタルビデオ圧縮プロフェッショナル）規格と、変調／復調のための、いわゆるＣＯＦＤＭ（コード化直交周数分割マルチプレクス）とを組み合わせて用いることにより、非常に有利な無線伝送システムを得ることができるという考えに基づいている。
【０００９】
欧州規格ＥＴＳＩ  ＥＮ３００７４４及びＳＭＰＴＥ３０７Ｍ−１９９８テレビジョンデジタルレコーディング（テープカセット）を参照する。
【００１０】
ＤＶＣＰＲＯ圧縮／伸長は、伝送チェーンにほとんど遅延をもたらさず、非常に適切なビデオ品質を供給する。更に、ＣＯＦＤＭは、マルチパス伝送に対し非常にロバストであるので、最大ビット誤り率が管理される限り、画質の損失はもたらさない。更に、この組合せを用いることは明白なことではなかった。というのは、ＤＶＣＰＲＯ規格は、原則的にテープ使用に最適化されているからである。
【００１１】
本発明の実施例は、従属項に記載される。
【００１２】
本発明の上述の面、及び、他の面は、以下の説明の一例によって説明する。
【００１３】
図１は、本発明のワイヤレス伝送システムのブロック概略図である。入力Ｉｖ及びＩａのそれぞれにおいて、ワイヤレス伝送システム（ＷＴＳ）は、ビデオ信号及びオーディオ信号を受信する。これらの２つの入力信号は、いわゆるＤＶＣＰＲＯ規格を用いて圧縮される。圧縮は、誤り訂正ビットが付加されるまで行われる。誤り訂正ビットは、ＤＶＣＰＲＯ規格に応じて行われない。というのは、これらの誤り訂正は、テープ記憶に最適化されているものであって、ワイヤレス伝送には最適化されていないからである。
【００１４】
圧縮の後に入手可能となるこのデータストリームは分割されて、ブランク及びオーバーヘッドは除去される。この結果、実際のデータ及びフレーム情報が得られる。ブランク及びオーバーヘッドを削除することによって、データ転送速度を可能な限り低く維持することができる。
【００１５】
実際のデータのコンテンツは、データをＭＰＥＧ構造に再構成する再構成ユニットに供給される。ＭＥＰＧパケットは、２つのストリームに分割され、これらの２つのストリームは、ＣＯＦＥＭ規格に応じて変調するために変調ユニットに供給される。変調の後、ワイヤレス伝送システムは、アンテナＡＮＴ１を介して信号を送信する準備を整えるＲＦ部を含む。
【００１６】
ワイヤレス伝送システムの受信器ＲＥＣも、アンテナＡＮＴ２を含む。このアンテナＡＮＴ２は、送信器ＴＲＡによって送信された信号を受信する。受信器において、信号は、ＲＦ部も含む復調ユニットに供給される。
【００１７】
復調も、ＣＯＦＥＤＭ規格に応じて行われる。結果として得られる２つのストリームは、コンバイナＣＯＭＢにおいて、ＭＰＥＧパケットの１つのストリームに組合される。
【００１８】
このストリームは、分離ユニットＳＰＥ２に供給されて、ＭＥＰＧ構造から、実際のＤＶＣＰＲＯデータと、フレーム情報と、補助データが取り出される。分離ユニットＳＰＥ２は、再生成ユニットＲＥＧに接続され、実際のデータ及びフレーム情報から、ＤＶＣＰＲＯ圧縮ストリームを再生成する。
【００１９】
再生成ユニットは、伸長ユニットＤＥＣＯＭＰに接続されて、ＤＶＣＰＲＯ信号を伸長して、夫々、ビデオ出力信号及びオーディオ出力信号である出力Ｏｖ及び出力Ｏａが得られる。
【００２０】
例えば、ＭＥＰＧトランスポートストリーム構造は、以下の構造を有する。
４７ＨＥＸ（パケットヘッダ）
フレーム開始指示（１バイト）
パケットカウンタ（１バイト）
パケットにおけるＤＶＣＰＲＯデータバイトの数（１バイト）
パケットにおける補助データバイトの数（１バイト）
ＤＶＣＰＲＯデータバイト
補助データバイト
スタッフバイト
この例におけるバイトの総数は、常に１８８である。
【００２１】
補助データは例えば、ワイヤレス伝送を介してカメラ及び／又は他の装置を制御するためのユーザ特定制御信号であってよい。パケットカウンタは、ＭＰＥＧパケットを、例えば、毎秒１４．４メガビットの２つのストリームに分割するために使用することができる。これらのストリームを分割することによって、ロバストな伝送を行うようＤＶＢ−Ｔ規格間で選択をする。
【００２２】
受信器側において、ＤＶＢ−Ｔ変調器によって供給される両方のＭＥＰＧストリームは、正しいシーケンスで供給されて組み合わされ、続いて、ＭＰＥＧ構造が分離される。結果として、実際のＤＶＣＰＲＯデータコンテンツのアベイラビリティ、（ビデオ＋オーディオ）、同期化に使用されるべきフレーム情報、及び、補助データが得られる。
【００２３】
実際のＤＶＣＰＲＯデータコンテンツ及びフレーム情報に基づいて、ＤＶＣＰＲＯ伸長された信号は再生成されて、ＤＶＣＰＲＯ伸長に供給され、その後に、ビデオ及びオーディオが利用可能となる。
【００２４】
当業者は、本発明の範囲内の多くの改正に気が付くであろう。本発明の主な考え方は、圧縮／伸長のためのＤＶＣＰＲＯ規格（誤り訂正まで。この誤り訂正は、この規格では、テープ応用に特有のものである）と、変調／復調のためのＣＯＦＤＭ規格を使用することである。
【図面の簡単な説明】
【図１】
本発明のワイヤレス伝送システムを示す概略ブロック図である。
【図１】
2004525555.tif 000003
【国際公開パンフレット】
2004525555.tif 000004
2004525555.tif 000005
2004525555.tif 000006
2004525555.tif 000007
2004525555.tif 000008
2004525555.tif 000009
【国際調査報告】
2004525555.tif 000010
2004525555.tif 000011
2004525555.tif 000012